(57)【要約】【課題】ＤＶＤ等のディスク再生時における制御情報の読み取り時等においても、ユーザの興味をそぐことなく、興味をひきつけることを可能にする。【解決する手段】情報再生装置（１）は、第１記録媒体（１００）に記録された第１コンテンツ情報を再生出力する再生出力手段（４など）と、再生出力手段における第１コンテンツ情報の再生出力状態を判定する判定手段（１７）と、少なくとも一つの選択用パラメータを検出するパラメータ検出手段（１７）と、第２記録媒体（１９、２１、２２）に記録された第２コンテンツ情報から、検出された選択用パラメータの値に応じて一の第２コンテンツ情報を選択する選択手段（１７）と、第１コンテンツ情報が再生出力されていない状態であると判定されたときに、選択された一の第２コンテンツ情報を再生出力するように再生出力手段を制御する再生制御手段（１７）とを備える。【選択図】  図１
2004335063.tif 000002
【特許請求の範囲】
【請求項１】
第１記録媒体に記録された第１コンテンツ情報を再生出力する再生出力手段と、
該再生出力手段における前記第１コンテンツ情報の再生出力状態を判定する判定手段と、
少なくとも一つの選択用パラメータを検出するパラメータ検出手段と、
第２記録媒体に記録された第２コンテンツ情報から、前記検出された選択用パラメータの値に応じて一の第２コンテンツ情報を選択する選択手段と、
前記第１コンテンツ情報が再生出力されていない状態であると判定されたときに、前記選択された一の第２コンテンツ情報を再生出力するように前記再生出力手段を制御する再生制御手段と
を備えたことを特徴とする情報再生装置。
【請求項２】
前記選択された一の第２コンテンツ情報を格納する格納手段を更に備え、
前記再生制御手段は、前記第１コンテンツ情報が再生出力されていない状態であると判定されたときに前記格納された一の第２コンテンツ情報を再生出力するように前記再生出力手段を制御することを特徴とする請求項１に記載の情報再生装置。
【請求項３】
前記再生制御手段は、前記第１コンテンツ情報を再生出力するための準備状態、及び前記第１コンテンツ情報の再生出力が停止された状態のうち少なくとも一つであると判定されたときに、前記選択された一の第２コンテンツ情報を再生出力するように前記再生出力手段を制御することを特徴とする請求項１又は２に記載の情報再生装置。
【請求項４】
前記第２記録媒体は、リムーバル型の情報記録媒体からなることを特徴とする請求項１から３のいずれか一項に記載の情報再生装置。
【請求項５】
前記選択手段は、前記選択用パラメータの値と前記第２コンテンツ情報との対応表を参照することで、前記検出された選択用パラメータの値に応じた前記一の第２のコンテンツ情報を選択することを特徴とする請求項１から４のいずれか一項に記載の情報再生装置。
【請求項６】
前記選択手段は、前記選択用パラメータの値を入力とし且つ前記一の第２コンテンツ情報を出力とする関数に従って、前記検出された選択用パラメータの値に応じた前記一の第２のコンテンツ情報を選択することを特徴とする請求項１から４のいずれか一項に記載の情報再生装置。
【請求項７】
前記パラメータ検出手段は、前記選択用パラメータとして、現在の年月日及び時間のうち少なくとも一つを検出し、
前記選択手段は、年月日及び時間のうち少なくとも一つに個別に対応付けられた第２コンテンツ情報から、前記検出された現在の年月日及び時間のうち少なくとも一つに応じて前記一の第２コンテンツ情報を選択することを特徴とする請求項１から６のいずれか一項に記載の情報再生装置。
【請求項８】
前記パラメータ検出手段は、前記選択用パラメータとして、当該情報再生装置の現在位置を検出し、
前記選択手段は、地理的位置のうち少なくとも一つに個別に対応付けられた前記第２コンテンツ情報から、前記検出された現在位置に応じて前記一の第２コンテンツ情報を選択することを特徴とする請求項１から６のいずれか一項に記載の情報再生装置。
【請求項９】
カーナビゲーション装置に係る現在位置を検出する測位手段と前記パラメータ検出手段とは、少なくとも部分的に共用されることを特徴とする請求項８に記載の情報再生装置。
【請求項１０】
前記第２コンテンツ情報は、ユーザにより登録されるコンテンツ情報を含むことを特徴とする請求項１から９のいずれか一項に記載の情報再生装置。
【請求項１１】
前記選択用パラメータの値と前記第２コンテンツ情報との対応関係を外部指定可能な外部指定手段を更に備えており、
前記選択手段は、前記外部指定手段により指定された対応関係に従って、前記検出された選択用パラメータの値に応じた前記一の第２のコンテンツ情報を選択することを特徴とする請求項１から１０のいずれか一項に記載の情報再生装置。
【請求項１２】
第１記録媒体に記録された第１コンテンツ情報の再生出力状態を判定する判定工程と、
少なくとも一つの選択用パラメータを検出するパラメータ検出工程と、
第２記録媒体に記録された第２コンテンツ情報から、前記検出された選択用パラメータの値に応じて一の第２コンテンツ情報を選択する選択工程と、
前記第１コンテンツ情報が再生出力されていない状態にあると判定されたときに、前記選択された一の第２コンテンツ情報を再生出力する再生制御工程と
を備えたことを特徴とする情報再生方法。
【請求項１３】
請求項１から１１のいずれか一項に記載の情報再生装置を構成する前記再生出力手段、前記判定手段、前記パラメータ検出手段、前記選択手段及び前記再生制御手段のうち少なくとも一部としてコンピュータを機能させることを特徴とするコンピュータプログラム。
【発明の詳細な説明】
【０００１】
【発明の属する技術分野】
本発明は、例えばＤＶＤ等の情報記録媒体を再生可能な情報再生装置及び方法並びに該情報再生装置をコンピュータ上で実現させるためのコンピュータプログラムの技術分野に属する。
【０００２】
【従来技術】
現在、ＤＶＤプレーヤ等の情報再生装置が普及している。更に、これらの情報再生装置は、ユーザの自宅での使用のみならず、例えばカーナビゲーションシステムに付属品として備え付けられる形態も増加しており、その用途或いは使用先は大きく広がっている。
【０００３】
この種の情報再生装置では、例えばＤＶＤ等の大容量光ディスクに記録されている大容量コンテンツを、臨場感溢れる映像と音声を用いて再生可能であり、ユーザの興味をひきつけてやまないものである。
【０００４】
【発明が解決しようとする課題】
しかしながら、この種の情報再生装置によれば、その再生の際には、ディスクを管理するテーブル（例えば、制御情報）を読み込んだ後にコンテンツを再生する必要がある。係る管理テーブルの読込の際には、ディスクに記録されたコンテンツの再生を行うことはできず、現時点では例えばブルー一色の画面（即ち、ブルーバック画面）等を表示していることが多い。又、ディスクの交換時や、ディスクの再生を停止した場合においても、当然にディスクに記録されたコンテンツの再生を行うことはできず、同様の状況が見られる。
【０００５】
このような状況下で情報再生装置が表示するブルーバック画面は、ディスクに記録されているコンテンツの内容と比較して、極めて無機質であり無味乾燥なものである。このような状況は、情報再生装置のユーザにとってコンテンツへの興味がそがれる一つの要因ともなりかねないという技術的な問題点を有している。
【０００６】
本発明は、例えば上述の問題点に鑑みなされたものであり、例えばＤＶＤ等のディスク再生時における制御情報の読み取り時或いはコンテンツ再生停止時等においても、ユーザの興味をそぐことがない情報再生装置及び方法、並びにコンピュータプログラムを提供することを課題とする。
【０００７】
【課題を解決する手段】
上記課題を解決するために、請求項１に記載の情報再生装置は、第１記録媒体に記録された第１コンテンツ情報を再生出力する再生出力手段と、該再生出力手段における前記第１コンテンツ情報の再生出力状態を判定する判定手段と、少なくとも一つの選択用パラメータを検出するパラメータ検出手段と、第２記録媒体に記録された第２コンテンツ情報から、前記検出された選択用パラメータの値に応じて一の第２コンテンツ情報を選択する選択手段と、前記第１コンテンツ情報が再生出力されていない状態であると判定されたときに、前記選択された一の第２コンテンツ情報を再生出力するように前記再生出力手段を制御する再生制御手段とを備える。
【０００８】
上記課題を解決するために、請求項１２に記載の情報再生方法は、第１記録媒体に記録された第１コンテンツ情報の再生出力状態を判定する判定工程と、少なくとも一つの選択用パラメータを検出するパラメータ検出工程と、第２記録媒体に記録された第２コンテンツ情報から、前記検出された選択用パラメータの値に応じて一の第２コンテンツ情報を選択する選択工程と、前記第１コンテンツ情報が再生出力されていない状態にあると判定されたときに、前記選択された一の第２コンテンツ情報を再生出力する再生制御工程とを備える。
【０００９】
上記課題を解決するために、請求項１３に記載のコンピュータプログラムは、請求項１から１１のいずれか一項に記載の情報再生装置を構成する前記再生出力手段、前記判定手段、前記パラメータ検出手段、前記選択手段及び前記再生制御手段のうち少なくとも一部としてコンピュータを機能させる。
【００１０】
本発明の作用及び利得は、次に説明する実施の形態から明らかにされよう。
【００１１】
【発明の実施の形態】
本発明の実施の形態について、以下に説明する。
【００１２】
本発明の情報再生装置に係る実施形態は、第１記録媒体に記録された第１コンテンツ情報を再生出力する再生出力手段と、該再生出力手段における前記第１コンテンツ情報の再生出力状態を判定する判定手段と、少なくとも一つの選択用パラメータを検出するパラメータ検出手段と、第２記録媒体に記録された第２コンテンツ情報から、前記検出された選択用パラメータの値に応じて一の第２コンテンツ情報を選択する選択手段と、前記第１コンテンツ情報が再生出力されていない状態であると判定されたときに、前記選択された一の第２コンテンツ情報を再生出力するように前記再生出力手段を制御する再生制御手段とを備える。
【００１３】
本発明の情報再生装置に係る実施形態によれば、その動作時には、第１記録媒体に記録されている、例えば映画或いは音楽等の第１コンテンツ情報を、再生出力手段を用いて再生出力可能である。第１記録媒体は、例えばＤＶＤ−ＲＯＭ或いはＣＤ−ＲＯＭ等の光ディスクであってもよい。或いは、ハードディスク等の情報記録媒体であってもよい。
【００１４】
実施形態では特に、判定手段と、パラメータ検出手段と、選択手段と、再生制御手段とを備えており、第１コンテンツ情報の再生出力状態に応じて、第２記録媒体に記録されている第２コンテンツ情報の再生出力が可能である。
【００１５】
より具体的には、判定手段は、再生出力手段による第１コンテンツ情報の再生出力状態を判定する。判定手段は、例えば後述の如く第１コンテンツ情報が再生出力されているか否か、第１コンテンツ情報の再生出力が停止されている状態にあるか否か、或いは第１コンテンツ情報を再生出力するための準備状態にある会中等を判定する。
【００１６】
尚、本発明における「再生出力されていない状態」とは、情報再生装置が通常使用される状態（即ち、例えば電源がＯＮになっている状態等）において、第１コンテンツ情報の再生出力をしていない状態を示す趣旨であって、具体的には、例えば後述の如く、停止操作をすることにより再生出力が例えば一時的に停止している場合や、例えば管理情報の読込中等の再生出力のための準備状態にある場合等を示す趣旨である。
【００１７】
そして、判定手段により、第１コンテンツ情報の再生出力状態が第１コンテンツ情報を再生出力していない状態にあると判定された場合、選択手段により第２記録媒体に記録された所定の第２コンテンツ情報のうち再生出力すべき一の第２コンテンツ情報が選択される。この第２記録媒体は、ＲＯＭ或いはＲＡＭ等の半導体メモリであってもよいし、ハードディスク等の情報記録媒体であってもよい。或いは、その他の情報記録媒体の形態を採用してもよい。
【００１８】
そしてこの場合、パラメータ検出手段により検出された少なくとも一つの選択用パラメータの値に応じて、第２コンテンツ情報のうち一の第２コンテンツ情報が選択される。そして、再生制御手段により制御された再生出力手段により、選択された一の第２コンテンツ情報が再生出力される。
【００１９】
尚、この第２コンテンツ情報は、映像情報及び音声情報のうち少なくとも映像情報を含み、再生出力手段は、少なくとも映像情報を再生出力するように構成してもよい。
【００２０】
このように、再生出力手段によって第１コンテンツ情報が再生されていない状態である場合に、再生制御手段によって第２コンテンツ情報の再生出力を行うように再生出力手段が制御される。これにより、本実施形態に係る情報再生装置のユーザは、第１コンテンツ情報が再生されていない状態にあっても、第２コンテンツ情報の再生により、興味をひきつけられることとなる。
【００２１】
以上の結果、本実施形態に係る情報再生装置によれば、例えばＤＶＤ等の第１記録媒体に記録されている第１コンテンツ情報の再生出力に加えて、例えば第１コンテンツ情報の再生の隙間（即ち、例えば再生停止中、或いは管理情報の読取中等）を補うべく第２コンテンツ情報の再生出力が可能となる。このため、例えば従来の情報再生装置において見られたようなブルーバック画面等の無味乾燥な画面を表示することもなく、ユーザの興味をそぐことのない情報再生装置を実現可能となる。或いは、ユーザに娯楽感を与えることが可能な、且つエンターテイメント性溢れる情報再生装置を実現することが可能となる。
【００２２】
尚、第２記録媒体に記録されている第２コンテンツ情報は、各種静止画コンテンツ情報を含んでいてもよい。或いは、各種動画コンテンツ情報を含んでいてもよい。或いは、第２記録媒体に記録されている第２コンテンツ情報に代えて、例えばグラフィック描画用のＩＣ回路等により描画生成されるグラフィック映像情報を表示出力する構成であってもよい。或いは、複数の静止画、複数の動画等を含む構成であってもよい。
【００２３】
又、例えば第１再生手段は、第１記録媒体に記録されているコンテンツ情報の再生に代えて、インターネット等のネットワークを介してダウンロードしたコンテンツ情報を再生可能な手段であってもよい。この場合、例えばパソコン等による第１コンテンツ情報のダウンロード中にも同様に、ユーザの興味をそがないように再生制御手段による第２コンテンツ情報の再生が可能な構成であってもよい。
【００２４】
又、選択手段は、再生状態の判定に応じて、第１コンテンツ情報が再生出力されていないと判定された後に、一の第２コンテンツ情報を選択するように構成してもよい。
【００２５】
本発明の情報再生装置に係る実施形態の一の態様では、前記選択された一の第２コンテンツ情報を格納する格納手段を更に備え、前記再生制御手段は、前記第１コンテンツ情報が再生出力されていない状態であると判定されたときに前記格納された一の第２コンテンツ情報を再生出力するように前記再生出力手段を制御する。
【００２６】
この態様によれば、選択手段により選択された一の第２コンテンツ情報を格納手段に格納しておくことが可能となる。この格納手段は、ＲＡＭ等の高速読出可能な半導体メモリ等であることが好ましい。そして、第１コンテンツ情報が再生出力されていない状態にあると判定された場合には、格納手段に格納されている一の第２コンテンツ情報を再生出力する。このため、比較的高速に第２コンテンツ情報の再生出力を開始することが可能となるという大きな利点を有することとなる。
【００２７】
これにより、第２コンテンツ情報の再生出力開始に大きな時間をとられることなく、よりユーザの興味をそぐことのない情報再生装置を実現することが可能となる。
【００２８】
加えて、第１コンテンツ情報を格納する手段を設ける必要もない。或いは仮に第１コンテンツ情報を格納する手段を設けたとしても、読出速度等を考慮することなく、例えば大容量の情報記録媒体を採用することで、多種多様な第２コンテンツ情報を格納し、該多種多様な第２コンテンツ情報の再生出力が実現できるという大きな利点をも有することとなる。
【００２９】
本発明に情報再生装置に係る実施形態の他の態様では、前記再生制御手段は、前記第１コンテンツ情報を再生出力するための準備状態、及び前記第１コンテンツ情報の再生出力が停止された状態のうち少なくとも一つであると判定されたときに、前記選択された一の第２コンテンツ情報を再生出力するように前記再生出力手段を制御する。
【００３０】
この態様によれば、第１コンテンツ情報の再生出力が停止された状態（例えば、ユーザが一時停止ボタンを押した場合や、停止ボタンを押した場合等）であると判定された場合には、第２コンテンツ情報の再生出力を行うことが可能となる。更に、第１コンテンツ情報を再生出力するための準備状態（例えば、光ディスク等の第１記録媒体の交換時やローディング時、或いは管理情報の読込時等）にあると判定された場合には、第２コンテンツ情報の再生出力を行うことが可能となる。
【００３１】
これらの場合は、いずれも第１コンテンツ情報が再生出力されていない状態であるため、係る場合にあってもユーザの興味をひきつけることが可能になるという大きな利点を有することとなる。
【００３２】
本発明の情報再生装置に係る実施形態の他の態様では、前記第２記録媒体は、リムーバル型の情報記録媒体からなる。
【００３３】
この態様によれば、例えば本実施形態に係る情報再生装置のユーザは、リムーバル型の情報記録媒体を利用することで、比較的容易に第２コンテンツ情報の内容を入れ替えることが可能となる。リムーバル型の情報記録媒体は、例えばメモリースティック、コンパクトフラッシュ（登録商標）或いはＰＣカード等の半導体メモリを含んでいてもよい。或いは、フロッピー（登録商標）ディスク等の情報記録媒体であってもよい。
【００３４】
これにより、より多種類の或いは多数の第２コンテンツ情報を、比較的容易に再生出力する構成を採ることが可能となる。このため、ユーザの興味をよりひきつける情報再生装置を実現することが可能となる。
【００３５】
本発明の情報再生装置に係る実施形態の他の態様では、前記選択手段は、前記選択用パラメータの値と前記第２コンテンツ情報との対応表を参照することで、前記検出された選択用パラメータの値に応じた前記一の第２のコンテンツ情報を選択する。
【００３６】
この態様によれば、例えば情報再生装置が備える対応表を参照することで、比較的容易且つ高速に、一の第２コンテンツ情報の選択をすることが可能となる。
【００３７】
この対応表は、オーサ側から提供されるデフォールトの対応表であってもよいし、これに対してユーザが編集又は修正若しくは選択を適宜加えたものでもよい。或いは、ユーザが始めから用意したものであってもよい。更に、第２コンテンツ情報の内容自体も、ユーザがビデオカメラ、デジタルカメラ等で撮影したものであってもよいし、或いは、ユーザがコンピュータ等を用いて作成したものであってもよいし、インターネット等からダウンロードしたものであってもよい。
【００３８】
本発明の情報再生装置に係る実施形態の他の態様では、前記選択手段は、前記選択用パラメータの値を入力とし且つ前記一の第２コンテンツ情報を出力とする関数に従って、前記検出された選択用パラメータの値に応じた前記一の第２のコンテンツ情報を選択する。
【００３９】
この態様によれば、選択用パラメータの値を入力とする関数を用いることで、比較的容易に且つ高速に、一の第２コンテンツ情報の選択をすることが可能となる。
【００４０】
係る関数は、オーサ側から予め提供されるデフォールトの関数であってもよいし、これに対してユーザが編集等を適宜加えたものであってもよい。或いは、ユーザが独自に作成した関数であってもよい。更に、第２コンテンツ情報の内容自体も、ユーザがビデオカメラ、デジタルカメラ等で撮影したものであってもよいし、或いは、ユーザがコンピュータ等で作成したものであってもよいし、インターネット等からダウンロードしたものであってもよい
本発明の情報再生装置に係る実施形態の他の態様では、前記パラメータ検出手段は、前記選択用パラメータとして、現在の年月日及び時間のうち少なくとも一つを検出し、前記選択手段は、年月日及び時間のうち少なくとも一つに個別に対応付けられた前記第２コンテンツ情報から、前記検出された現在の年月日及び時間のうち少なくとも一つに応じて前記一の第２コンテンツ情報を選択する。
【００４１】
この態様によれば、例えば現在の年月日に応じて選択された一の第２コンテンツ情報を再生出力することが可能となる。或いは、現在の時間に応じて選択された一の第２コンテンツ情報を再生出力することが可能となる。この場合、現在の年月日及び時間のうち少なくとも一つに個別に対応付けられた第２コンテンツ情報は、年月日及び時間のうち少なくとも一つを想起させるコンテンツ情報を含んでなることが好ましい。
【００４２】
例えば、現在の年月日を選択用パラメータとして用いるのであれば、その年月日を想起させるようなコンテンツ情報（例えば、夏の映像、冬の映像等）を選択してもよい。或いは、現在の時間を選択用パラメータとして用いるのであれば、その時間を想起させるようなコンテンツ情報（例えば、朝の映像、夜の映像等）を選択してもよい。
【００４３】
このようなコンテンツ情報を、例えばブルーバック画面等の如き無味乾燥な映像に代えて表示出力することで、情報再生装置の再生動作中であれば、ユーザの興味をひきつける、魅力ある情報再生装置の実現が可能となる。
【００４４】
尚、上述の年月日から年のみ、月のみ、日のみ或いはそれらの組み合わせを選択用パラメータとして用いてもよいし、それらと時間の組み合わせを選択用パラメータとして用いてもよい。
【００４５】
本発明の情報再生装置に係る実施形態の他の態様では、前記パラメータ検出手段は、前記選択用パラメータとして、当該情報再生装置の現在位置を検出し、前記選択手段は、地理的位置のうち少なくとも一つに個別に対応付けられた前記第２コンテンツ情報から、前記検出された現在位置に応じて前記一の第２コンテンツ情報を選択する。
【００４６】
この態様によれば、例えば、情報再生装置の現在位置（例えば、国、地方、町、或いは地形等の地理的位置）に応じて選択された一の第２コンテンツ情報を表示出力することが可能となる。この場合、地理的位置に個別に対応付けられた第２コンテンツ情報は、その地理的位置を想起させるコンテンツ情報を含んでなることが好ましい。
【００４７】
例えば、現在位置が海岸付近を示していれば、海を想起させるようなコンテンツ情報を選択してもよい。或いは、現在位置が日本のある地方を示していれば、その地方を想起させるコンテンツ情報を選択してもよい。
【００４８】
尚、前記パラメータ検出手段は、前記選択用パラメータとして、上述の年月日及び時間並びに当該情報再生装置の現在位置のうち少なくとも一つを検出し、選択手段は、年月日及び時間並びに地理的位置のうち少なくとも一つに個別に対応付けられた前記第２コンテンツ情報から、前記検出された現在の年月日及び時間並びに現在位置のうち少なくとも一つに応じて前記一の第２コンテンツ情報を選択してもよい。このように構成すれば、例えば、現在位置が同一の海や同一の山を示していても、昼夜の違いや夏冬の違いに応じて異なる第２コンテンツ情報が選択されることになる。
【００４９】
上述の如く、現在の位置を選択用パラメータとして選択する情報再生装置の態様では、カーナビゲーション装置に係る現在位置を検出する測位手段と前記パラメータ検出手段とは、少なくとも部分的に共用されるように構成してもよい。
【００５０】
このように構成すれば、例えばカーナビゲーションが備えるＧＰＳ（Ｇｌｏｂａｌ  Ｐｏｓｉｔｉｏｎｉｎｇ  Ｓｙｓｔｅｍ）受信装置等の測位手段を用いて、比較的容易に現在の位置を選択用パラメータとして検出することが可能となる。
【００５１】
加えてこの態様では、ＧＰＳ衛星から送られる電波に含まれる現在の年月日及び時間のうち少なくとも一つを選択用パラメータとして部分的に共用可能に構成してもよい。これにより、比較的容易に選択用パラメータの検出を行うことが可能となる。
【００５２】
本発明の情報再生装置に係る実施形態の他の態様では、前記第２コンテンツ情報は、ユーザにより登録されるコンテンツ情報を含む。
【００５３】
この態様によれば、第２コンテンツ情報として、ユーザの所望のコンテンツ情報を利用することで、よりユーザの興味をひきつける情報再生装置を実現することが可能となる。即ち、ユーザ自身も楽しんで本実施形態に係る情報再生装置を利用することが可能となる。
【００５４】
そして、例えば上述の如く第２記録媒体としてリムーバル型の記録媒体の形態を採る態様では、比較的容易にこれらユーザ所望の第２コンテンツ情報を登録することが可能となる。
【００５５】
このユーザにより登録されるコンテンツ情報は、例えばユーザがビデオカメラ、デジタルカメラ等で撮影したコンテンツ情報を含んでいてもよい。又、ユーザがコンピュータ等を用いて作成したコンテンツ情報を含んでいてもよいし、インターネット等よりダウンロードしたコンテンツ情報を含んでいてもよい。
【００５６】
本発明の情報再生装置に係る実施形態の他の態様では、前記選択用パラメータの値と前記２コンテンツ情報との対応関係を外部指定可能な外部指定手段を更に備えており、前記選択手段は、前記外部指定手段により指定された対応関係に従って、前記検出された選択用パラメータの値に応じた前記一の第２のコンテンツ情報を選択する。
【００５７】
この態様によれば、例えばユーザが外部指定手段を用いて、選択用パラメータの値に応じて例えば個別に対応付けられる第２コンテンツ情報を適宜指定することが可能となる。
【００５８】
例えば、地理的位置に対する第２コンテンツ情報の個別の対応付けを外部指定してもよい。年月日及び時間の少なくとも一方に対する第２コンテンツ情報の個別の対応付けを外部指定してもよい。そして、対応付けられる第２コンテンツ情報は、予め第２記録媒体に記録されているコンテンツ情報であってもよいし、ユーザにより登録されたコンテンツ情報であってもよい。
【００５９】
これにより、ユーザが所望の条件で所望の第２コンテンツ情報を再生出力することが可能となる。このため、よりユーザの興味をひきつけることが可能となるという大きな利点を有することとなる。或いは、ユーザ自身も本実施形態に係る情報再生装置を楽しんで利用することも可能となる。
【００６０】
本発明の情報再生方法に係る実施形態は、第１記録媒体に記録された第１コンテンツ情報の再生出力状態を判定する判定工程と、少なくとも一つの選択用パラメータを検出するパラメータ検出工程と、第２記録媒体に記録された第２コンテンツ情報から、前記検出された選択用パラメータの値に応じて一の第２コンテンツ情報を選択する選択工程と、前記第１コンテンツ情報が再生出力されていない状態にあると判定されたときに、前記選択された一の第２コンテンツ情報を再生出力する再生制御工程とを備える。
【００６１】
本発明の情報再生方法に係る実施形態によれば、上述の本発明の情報再生装置に係る実施形態と同様に、第１コンテンツ情報の再生出力中には、判定工程において再生出力手段の再生出力状態が判定される。そして、例えば第１コンテンツ情報が再生出力されていない状態であると判定されれば、パラメータ検出工程にて検出された選択用パラメータの値に応じて、選択工程において第２コンテンツ情報のうち一の第２コンテンツ情報が選択される。その後、再生制御工程において該選択された一の第２コンテンツ情報が再生出力される。
【００６２】
従って、本実施形態に係る情報再生方法によれば、例えばＤＶＤ等の第１記録媒体に記録されている第１コンテンツ情報の再生出力に加えて、例えば第１コンテンツ情報の再生の隙間（即ち、例えば再生停止中等）を補うべく第２コンテンツ情報の再生出力が可能となる。このため、例えば従来の情報再生装置において見られたようなブルーバック画面等の無味乾燥な画面を表示することもなく、ユーザの興味をそぐことのない情報再生装置を実現可能となる。或いは、ユーザに娯楽感を与えることが可能な、且つエンターテイメント性溢れる情報再生装置を実現することが可能となる。
【００６３】
尚、上述の本発明の情報再生装置に係る実施形態における各種態様に対応して、本発明の情報再生方法に係る実施形態も各種態様を採ることが可能である。
【００６４】
本発明のコンピュータプログラムに係る実施形態は、コンピュータを上述の本発明の情報再生装置に係る実施形態を構成する前記再生出力手段、前記パラメータ検出手段、前記選択手段及び前記再生制御手段のうち少なくとも一部として機能させる。
【００６５】
本発明の情報再生装置用のコンピュータプログラムに係る実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報再生装置に係る実施形態のうち少なくとも一部として、比較的容易に機能させることが可能である。
【００６６】
尚、上述の本発明の情報再生装置に係る実施形態における各種態様に対応して、本発明の情報再生装置用のコンピュータプログラムに係る実施形態も各種態様を採ることが可能である。
【００６７】
本実施形態におけるこのような作用、及び他の利得は次に説明する実施例から更に明らかにされよう。
【００６８】
以上の結果、本発明の情報再生装置に係る実施形態によれば、再生出力手段、選択用パラメータ検出手段、選択手段及び再生制御手段を備えている。又、本発明の情報再生方法に係る実施形態によれば、判定工程、パラメータ検出工程、選択工程及び再生制御工程を備えている。このため、例えばＤＶＤ等の第１記録媒体に記録されている第１コンテンツ情報の再生出力に加えて、例えば第１コンテンツ情報の再生の隙間（即ち、例えば再生停止中等）を補うべく第２コンテンツ情報の再生出力が可能となる。このため、例えば従来の情報再生装置において見られたようなブルーバック画面等の無味乾燥な画面を表示することもなく、ユーザの興味をそぐことのない情報再生装置を実現可能となる。或いは、ユーザに娯楽感を与えることが可能な、且つエンターテイメント性溢れる情報再生装置を実現することが可能となる。
【００６９】
【実施例】
以下、図面を参照して、本発明の情報再生装置及び方法に係る実施例について説明する。尚、以下に説明する実施例において、情報再生装置の一例として、ＤＶＤを再生可能なＤＶＤプレーヤを一例として説明する。
【００７０】
（第１実施例）
図１から図３を参照して、本発明の情報再生装置に係る第１実施例について説明する。
【００７１】
（第１実施例の基本構成）
先ず、図１を参照して、本発明の情報再生装置に係る第１実施例の基本構成を説明する。ここに、図１は、本発明の情報再生装置に係る第１実施例の構成を示すブロック図である。
【００７２】
図１に示すように、第１実施例に係る情報再生装置１は、スピンドルモータ３、光ピックアップ４、送りモータ５、ＲＦ（Ｒａｄｉｏ  Ｆｒｅａｑｕｅｎｃｙ）ＲＦアンプ６、サーボ制御部７、デジタル信号処理部８、バッファメモリ９、ストリーム分離部１０、ビデオデコーダ１１、オーディオデコーダ１２、サブピクチャデコーダ１３、ビデオプロセッサ１４、Ｄ／Ａ変換器１５、ビデオエンコーダ１６、システムコントローラ１７、操作部１８、ＯＳＤ（Ｏｎ  Ｓｃｒｅｅｎ  Ｄｉｓｐｌａｙ）画像用記憶部（ＲＯＭ）１９、カレンダ管理部２０及びＲＡＭ２１を備えて構成されている。
【００７３】
尚、図１に示す構成は、ビデオＤＶＤプレーヤとして構築された情報再生装置１における構成のうち、映像及び音声の再生に関する部分のみを記載したものである。例えば光ピックアップ４、スピンドルモータ３、送りモータ５等をサーボ制御するためのサーボ制御部７、或いは光ピックアップ４にて読取られた信号がＲＦアンプ６により信号処理され映像信号及び音声信号として出力されるに至るまでの構成は従来技術と同様であるので、記載及び細部説明を省略する。
【００７４】
操作部１８は、情報再生装置１の動作をユーザが制御するためのものである。この操作部１８は、例えばリモコン、キーボード、タッチパネル、マウス或いは操作ボタン等を含んで構成されていてもよい。
【００７５】
第１実施例では特に、ＯＳＤ画像用記憶部１９には、後述の如くＯＳＤ用の画像に加えて、更に複数の映像が記録されている。このＯＳＤ画像用記憶部１９は、例えばＲＯＭ或いはＲＡＭ等の半導体メモリを含んで構成されることが好ましい。
【００７６】
係る複数の映像は、例えば季節に応じた、例えば春、夏、秋或いは冬を想起させる映像であったり、月日に応じた、例えばお正月、入学式、運動会或いはクリスマス等を想起させる映像であることが好ましい。又、夜を想起させたり、おやつの時間を想起させるような、時間に応じた映像であってもよい。或いは、特定の国、地方、市町村、地理状況等を想起させるような、位置（即ち、地理）に応じた映像であってもよい。更に、これらの映像は、例えば情報再生装置１の製造等時に予め作成され、ＯＳＤ画像用記憶部１９に記録されていてもよいし、例えば随時追加するものであってもよい。
【００７７】
又、これらの映像は、ＪＰＥＧ形式、ＢＭＰ形式、ＴＩＦＦ形式或いはＧＩＦ形式等の各種静止映像であってもよいし、ＭＰＥＧ形式、ＷＭＶ（Ｗｉｎｄｏｗｓ（登録商標）  Ｍｅｄｉａ  Ｖｉｄｅｏ）形式或いはＲｅａｌ  Ａｕｄｉｏ形式等の各種動画映像であってもよい。或いは、それ以外の映像、画像等であってもよい。
【００７８】
カレンダ管理部２０は、現在の年月日を特定可能に構成されている。このカレンダ管理部２０によって現在の日付或いは年月に係る情報を映像選択用パラメータとして取得後、当該映像選択用パラメータに基づき、ＯＳＤ画像用記憶部１９から所定の映像を読み込み、且つ再生可能に構成されている。
【００７９】
ＲＡＭ２１には、情報再生装置１が再生停止中に表示する映像を管理するための条件テーブルが記録されている。このＲＡＭ２１には、例えば情報再生装置の電源をＯＦＦにしても、記録された内容が消去されることのないような構成であってもよい。例えば、フラッシュメモリーを用いて構成したり、或いは電源供給源（或いは、電源供給ルート）を情報再生装置とは別に設けたりしてもよい。尚、条件テーブルについては後述する（図２参照）。
【００８０】
（第１実施例の動作原理）
続いて、図２及び図３を用いて、第１実施例に係る情報再生装置の動作原理について説明する。ここに、図２（ａ）は、第１実施例に係る情報再生装置が備えている条件テーブルのデータ構成の一の具体例を示す図であり、図２（ｂ）は、第１実施例に係る情報再生装置が備えている条件テーブルのデータ構成の他の具体例を示す図であり、図３は、第１実施例に係る情報再生装置の動作を示すフローチャートである。
【００８１】
図２（ａ）に示すように、情報再生装置１は、映像選択用パラメータと、ＯＳＤ画像記憶部１９に記録された映像との対応関係を指定する条件テーブルを備えている。係る条件テーブルは、例えばＲＡＭ２１に格納されている。
【００８２】
例えば、現在が１月２１日であれば、システムコントローラ１７は、映像選択用パラメータとして「１月２１日」という値を取得する。その後、システムコントローラ１７は、ＲＡＭ２１に記録されている条件テーブルを参照して、この「１月２１日」という映像選択用パラメータに対応付けられた映像の格納場所  “新春の映像へのアドレス位置”を取得する。或いは、現在が１２月２４日であれば、システムコントローラ１７は同様に、映像選択用パラメータとして「１２月２４日」という値を取得する。その後、システムコントローラ１７は、ＲＡＭ２１に記録されている条件テーブルを参照して、この「１２月２４日」というパラメータに対応付けられた映像の格納場所“クリスマスの映像へのアドレス位置”を取得する。
【００８３】
そして、それらアドレス位置に対応してＯＳＤ画像記憶部１９に記録されている映像、例えば、新年を思い起こさせるような門松又は干支を表す映像データや、クリスマスを思い起こさせるようなクリスマスツリーを表す映像データを取得する。
【００８４】
なお、例えば映像を記憶するＯＳＤ画像記憶部１９がＲＯＭ或いはＲＡＭ以外のものであれば、例えば、図２（ｂ）で示すような条件テーブルであってもよい。この場合では、システムコントローラ１７は、映像選択用パラメータとして「１月２１日」という値を取得した後、ＲＡＭ２１に記録されている図２（ｂ）で示す条件テーブルを参照して、この「１月２１日」という映像選択用パラメータに対応付けられた映像のファイル名“新春．ｊｐｇ”を取得する。
【００８５】
尚、図２に示した条件テーブルに代えて或いは加えて、映像選択用パラメータの値を入力値とし、例えば映像のファイル名（或いは、映像ファイルのアドレス位置）を出力値とする関数を用いてもよい。係る関数による演算は、例えばシステムコントローラ１７にて行われてもよい。
【００８６】
続いて、第１実施例に係る情報再生装置１がＤＶＤ等に記録されているコンテンツ情報を再生する際の動作について説明する。
【００８７】
例えばリモコン、操作パネル或いはタッチパネル等を含んでなる操作部１８によりユーザが再生を選択した場合、ＰＵ（光ピックアップ）４は、ＤＶＤ１００に対して再生光としての光ビームを照射すると共に、当該光ビームのＤＶＤ１００からの反射光を受光し、ＤＶＤ１００上に形成されている情報ピットに対応する検出信号Ｓｉを出力する。尚、光ピックアップ４は、図示しないレーザダイオード、ビームスプリッタ、対物レンズ、光検出器等を含んでいる。このとき、光ビームがＤＶＤ１００上の情報トラックに対して正確に照射されると共に、ＤＶＤ１００上の情報記録面で正確に焦点を結ぶように、図示しない対物レンズに対して従来技術と同様の方法によりトラッキングサーボ制御及びフォーカスサーボ制御が施されている。
【００８８】
光ピックアップ４から出力された検出信号Ｓｉは、ＲＦアンプ６によってＲＦ信号ＳＲＦとトラッキングエラー信号やフォーカスエラー信号等の誤差信号Ｓｅとに変換され、夫々デジタル信号処理部８及びサーボ制御部７に出力される。
【００８９】
誤差信号Ｓｅが入力されたサーボ制御部７は、システムコントローラ１７の制御下で、誤差信号Ｓｅに基づいて、スピンドルモータ３及び送りモータ５を制御する。即ち、スピンドルモータ３を制御することで、スピンドルモータ３の回転速度の誤差を制御する。更に、送りモータ５を制御することで、ピックアップ４のトラッキングエラー及びフォーカスエラーを制御する。
【００９０】
一方、ＲＦ信号ＳＲＦが入力されたデジタル信号処理部８は、システムコントローラ１７の制御下で、ＲＦ信号ＳＲＦをデジタル信号に変換し、デジタル信号Ｄｉとしてストリーム分離部１０に出力する。係るデジタル信号Ｄｉへの変換処理の際には、一時的なデータ格納用に備えているバッファメモリ９が用いられる。
【００９１】
又、デジタル信号処理部８でのＲＦ信号ＳＲＦの変換の際には、誤り訂正が同時に行われ、例えばスピンドルモータ３の回転誤差を示す同期エラー信号Ｄｅが生成され、サーボ制御部７へ出力される。そして、サーボ制御部７は、係る同期エラー信号Ｄｅに基づき、スピンドルモータ３の回転速度或いは角速度等を制御する。
【００９２】
デジタル信号Ｄｉが入力されたストリーム分離部１０では、ビデオストリームパケットＶ＿ＰＣＫ、オーディオストリームパケットＡ＿ＰＣＫ及びサブピクチャストリームパケットＳＰ＿ＰＣＫとに分離され、夫々ビデオデコーダ１１、オーディオデコーダ１２及びサブピクチャデコーダ１３に出力される。
【００９３】
ビデオパケットＶ＿ＰＣＫが入力されるビデオデコーダ１１は、該ビデオパケットの変調方式の基づき、復調ビデオ信号Ｄｖへの復調を行い、係る復調ビデオ信号Ｄｖはビデオプロセッサ１４へ出力される。
【００９４】
一方、サブピクチャパケットＳＰ＿ＰＣＫが入力されるサブピクチャデコーダ１３は、該サブピクチャパケットの変調方式に基づき、復調サブピクチャ信号Ｄｓへの復調を行い、係る復調サブピクチャ信号Ｄｓはビデオプロセッサ１４へ出力される。この場合、復調サブピクチャ信号Ｄｓは、システムコントローラ１７の制御に基づき、復調ビデオ信号Ｄｖと適切に同期が取られた状態で、ビデオプロセッサ１４へ出力される。
【００９５】
ビデオデコーダ１１から出力された復調ビデオ信号Ｄｖ及びサブピクチャデコーダ１３から出力された復調サブピクチャ信号Ｄｓは、ビデオプロセッサ１４により混合され、最終的な表示すべき映像信号Ｄｖｄとしてビデオエンコーダ１６に出力される。
【００９６】
ビデオエンコーダ１６において、係る映像信号Ｄｖｄを表示するための例えば図示しないＣＲＴ（Ｃａｔｈｏｄｅ  Ｒａｙ  Ｔｕｂｅ  ）、ＬＣＤ（液晶ディスプレイ）或いはＰＤＰ（プラズマディスプレイ）等の表示部に出力表示可能なデータ形式に変換される。そして、出力映像信号Ｄｄｓｐ、Ｓｄｓｐとして図示しないＣＲＴ、ＬＣＤ或いはＰＤＰ等の表示部に表示出力される。
【００９７】
オーディオパケットＡ＿ＰＣＫが入力されるオーディオデコーダ１２は、該オーディオパケットＡ＿ＰＣＫの変調方式に基づき、復調音声信号Ｄａへの復調を行い、Ｄ／Ａ変換機１５へ出力される。そして、Ｄ／Ａ変換機１５にて、例えば図示しないスピーカへ出力可能なアナログ信号に変換し、スピーカにて音声が出力される。
【００９８】
加えて、ＯＳＤ画像用記憶部１９には、コンテンツ情報の再生中に、その映像に重ねて表示するための例えばメニュー表示等の映像情報が記録されている。係る映像情報は、コンテンツ情報の再生中に、システムコントローラ１７により適宜読み出される。そして、ＯＳＤ信号Ｄｏｓｄとしてビデオプロセッサ１４に出力され、ビデオプロセッサ１４において復調ビデオ信号Ｄｖ及び復調サブピクチャ信号Ｄｓと共にＣＲＴ等の表示部に表示出力される。
【００９９】
続いて、上述の如くコンテンツ情報の再生中において例えば再生が停止した場合に、図２に示す条件テーブルを参照して、取得した画像選択用パラメータに対応付けられている映像を選択して再生する動作について図３を参照して説明する。
【０１００】
尚、このとき、情報再生装置１は、ＤＶＤ１００に記録されているコンテンツ情報の再生を行っているものとする。
【０１０１】
図３に示すように、情報再生装置１は、コンテンツ情報を再生中には、ＯＳＤ画像用記憶部１９に記録されている映像を表示することなく、コンテンツ情報の再生（即ち、ＤＶＤ１００の再生）が停止しているか否かを判定する（ステップＳ１１）。この場合、例えばシステムコントローラ１７は、例えば光ピックアップ４から検出信号が出力されているか否かにより判定してもよい。或いは、例えばデジタル信号処理部８に、コンテンツ情報を含んでなる信号が入力されているか否かにより、ＤＶＤ１００の再生が停止しているか否かを判定してもよい。デジタル信号処理部８を監視することで、ＤＶＤ１００の管理テーブルを読込中であってもコンテンツ情報の再生は行われていないと判定できる。
【０１０２】
この判定の結果、ＤＶＤ１００の再生が停止していない（即ち、コンテンツ情報の再生が行われている）と判定した場合には（ステップＳ１１：Ｎｏ）、そのままＤＶＤ１００の再生を続け、引き続きＤＶＤ１００の再生が停止しているか否かを判定する。
【０１０３】
他方、ＤＶＤ１００の再生が停止している（即ち、コンテンツ情報の再生が行われていない）と判定した場合には（ステップＳ１１：Ｙｅｓ）、システムコントローラ１７は、カレンダ管理部２０から、現在の月日を示す月日情報を映像選択用パラメータとして取得する（ステップＳ１２）。このようにＤＶＤ１００の再生が停止していると判定されるのは、ＤＶＤ１００の読込を全くしていない場合（即ち、ディスク交換時或いは、情報再生装置１の電源は入っているが、ディスクが装てんされていない場合等）のみならず、例えばＤＶＤ１００の再生開始時の管理情報を読み込んでいる場合をも含んでいる。或いは、例えば第１実施例に係る情報再生装置１がカーナビゲーションシステムに付属している場合には、例えばＤＶＤ１００の再生動作中にカーナビゲーションシステムへの動作切替を行った際の、切替処理に係る場合をも含んでいてもよい。
【０１０４】
その後、システムコントローラ１７の制御下で、ＲＡＭ２１に記録されている条件テーブルを適宜参照して、ＤＶＤ１００のコンテンツ情報の再生停止時に表示される、ステップＳ１２で取得した月日情報（即ち、映像選択用パラメータ）に対応付けられた映像を選択する。その後、システムコントローラ１７は、選択した映像をＯＳＤ画像用記憶部１９から読込、ビデオプロセッサ１４に映像信号として出力することで、ＣＲＴ等において再生する（ステップＳ１３）。そして、再度ＤＶＤ１００の再生が開始されるまで、係る映像を表示する。
【０１０５】
尚、この場合、予めステップＳ１１によるＤＶＤ１００の再生の有無判定の前に、条件テーブルを参照して予め月日情報に対応付けられた映像を選択しておいてもよい。この場合、ステップＳ１１にて再生停止中であると判定された場合には、予め選択されている映像がそのまま表示されることとなる。
【０１０６】
その後、ＤＶＤ１００の再生が再度開始される場合には、システムコントローラ１７は、選択した映像の再生を停止し、ＤＶＤ１００に記録されているコンテンツ情報を再生する。
【０１０７】
尚、例えば現在の時刻を示す時刻情報を映像選択用パラメータとして取得可能な構成であっても同様の処理が行われる。この場合、カレンダ管理部２０より時刻情報を取得する構成であってもよいし、或いは時刻管理部を別途備える構成であってもよい。そして、この場合には図２に示す条件テーブルには、時刻情報に対応付けられている映像のファイル名等が記録されていることが好ましい。そして、対応付けられる映像は、例えば、朝、昼、夜、夕方或いは深夜等を想起させる映像であることが好ましい。
【０１０８】
更に、現在の位置を示す位置情報を画像選択用パラメータとして取得可能な構成であっても同様の処理が行われる。この場合、第１実施例に係る情報再生装置１は、ＧＰＳ衛星から送られる電波を受信して現在位置を特定可能なＧＰＳ処理部を備えていることが好ましい。係る場合には、ＧＰＳ衛星から送られてくる電波に含まれる現在の年月日或いは現在の時刻に係る情報を利用する構成であってもよい。そして、この場合には図２に示す条件テーブルには、所定の位置（例えば、国、都道府県、地方或いは市町村等）に対応付けられている映像のファイル名等が記録されていることが好ましい。そして、対応付けられる映像は、例えば、国旗、県章、市章、名跡等を想起させる映像であったり、或いは海岸、山、畑、都会等を想起させる映像であることが好ましい。
【０１０９】
又、カレンダ管理部２０（或いは、時刻管理部及びＧＰＳ処理部）を備える構成でなくとも、例えば外部より入力される情報により係る情報の取得を行う構成であってもよい。例えば、第１実施例に係る情報再生装置１がカーナビゲーションシステムに付属しているＤＶＤプレーヤであれば、カーナビゲーションシステムが管理している現在の年月日、現在の時刻或いは現在の位置を取得する構成であってもよい。
【０１１０】
以上の結果、第１実施例によれば、例えば従来のＤＶＤプレーヤであればブルーバック画面が表示される場合であっても、例えば季節感を感じることの出来る映像等を表示することが可能となる。従って、ユーザの興味をそぐことのない情報再生装置を実現可能となる。或いは、ユーザに娯楽感を与えることが可能な、且つエンターテイメント性溢れる情報再生装置を実現することが可能となる。
【０１１１】
（第２実施例）
続いて、図４及び図５を参照して、本発明の情報再生装置に係る第２実施例について説明する。ここに、第２実施例に係る情報再生装置は、ユーザの所望の映像を、ユーザが所望の条件に従って読み込み可能な構成を採用している。尚、第２実施例に係る情報再生装置においては、第１実施例と同様の構成には、同一の参照番号及びステップ番号を付するものとし、その説明を省略する。
【０１１２】
（第２実施例の基本構成）
先ず、図４を参照して、本発明の情報再生装置に係る第２実施例の基本構成について説明する。ここに、図４は、第２実施例に係る情報再生装置の構成を示すブロック図である。
【０１１３】
図４に示すように、第２実施例に係る情報再生装置１ａは、スピンドルモータ３、光ピックアップ４、送りモータ５、ＲＦアンプ６、サーボ制御部７、デジタル信号処理部８、バッファメモリ９、ストリーム分離部１０、ビデオデコーダ１１、オーディオデコーダ１２、サブピクチャデコーダ１３、ビデオプロセッサ１４、Ｄ／Ａ変換器１５、ビデオエンコーダ１６、システムコントローラ１７、操作部１８、ＯＳＤ画像用記憶部（ＲＯＭ）１９、カレンダ管理部２０、ＲＡＭ２１及びユーザ映像格納部２２を備えて構成されている。
【０１１４】
第２実施例に係る情報再生装置１ａにおいても、第１実施例に係る情報再生装置１と同様に、ＤＶＤ１００を再生し、記録されているコンテンツ情報を表示出力可能である。又、ＯＳＤ画像用記録部１９に記録された映像を、例えば情報再生装置２が再生停止中に表示させることも可能である。
【０１１５】
第２実施例に係る情報再生装置１ａは特に、ユーザ映像格納部２２を備えている。係るユーザ映像格納部２２は、例えばメモリースティック、コンパクトフラッシュ（登録商標）、ＳＤ（Ｓｅｃｕｒｅ  Ｄｉｇｉｔａｌ）カード、ＰＣカード或いはその他半導体メモリ等のリムーバル型の記録媒体を含んで構成されることが好ましい。即ち、リムーバルな記録媒体を、ユーザ映像格納部２２の一部たるスロットに挿入することで、この記録媒体に記録されている映像を情報再生装置１ａに取り込み可能に構成されていることが好ましい。或いは、ユーザ映像格納部２２は、フロッピー（登録商標）ディスク、ハードディスク等を含んで構成されていてもよい。そして、ユーザ映像格納部２２は、ユーザがビデオカメラ、デジタルカメラ等を用いて撮影した映像、コンピュータを用いて作成した映像、或いはインターネット等を介してダウンロードした映像等を記録可能に構成されている。
【０１１６】
又、操作部１８は、ＲＡＭ２１に記録されている条件テーブル（図２参照）を書き換える指示を入力可能に構成されている。即ち、ユーザ所望の映像選択用パラメータが取得された場合に、ユーザ所望の映像が表示されるように条件テーブルを書換可能に構成されている。尚、操作部１８は、例えばリモコン、キーボード、マウス、タッチパネル或いは操作ボタン等を含んで構成されていることが好ましい。
【０１１７】
（第２実施例の動作例）
続いて、図５を参照して、第２実施例に係る情報再生装置の動作原理について説明する。ここに、図５は、第２実施例に係る情報再生装置の動作を示すフローチャートである。
【０１１８】
尚、第２実施例に係る情報再生装置１ａにおいても、第１実施例の場合と同様にＤＶＤ１００に記録されているコンテンツ情報の再生が可能である。又、ＲＡＭ２１に記録されている条件テーブルには、デフォールトで設定された対応付けに加えて或いは代えて、ユーザ所望の対応付けが追加、編集或いは反映されていてもよい。このユーザによる対応付けの追加等は、操作部１８の操作により、例えば映像選択用パラメータと、その映像選択用パラメータに対応する映像のファイル名（或いは、ファイルのアドレス位置等）の入力等により行われる。
【０１１９】
図５に示すように、情報再生装置１ａは、例えば電源がＯＮになった時点で、ユーザ映像格納部２２に記録されている映像を読み込み、ＲＡＭ２１へ記録する（ステップＳ２１）。ユーザ映像格納部２２と比較してデータ読出速度が高速なＲＡＭ２１へ記録することで、映像の表示処理が必要となった場合に、即座に必要な映像を読み出すことが可能となる。ＲＡＭ２１へは、ユーザ映像格納部２２に記録されている映像のうち、例えば必要な映像のみを記録することが好ましい。例えば、現在の年月日を示す月日情報を予め取得し、係る年月日に表示されるようにユーザによって対応付けられている映像のみを記録することが好ましい。或いは、ユーザ映像格納部２２に記録されている映像の全てを記録してもよい。尚、ユーザ映像格納部２２に映像が記録されていなければ、ステップＳ２１に係る処理は実行されない。
【０１２０】
その後、ＤＶＤ１００の再生が開始される（ステップＳ２２）。尚、このＤＶＤ１００の再生開始までに要する管理テーブルの読込動作中も、例えばデフォールトで定めた所定の映像を表示することが好ましい。
【０１２１】
ＤＶＤ１００に記録されているコンテンツ情報を再生中には、ＯＳＤ画像用記憶部１９或いはユーザ映像格納部２２に記録されている映像を表示することなく、コンテンツ情報の再生が停止しているか否かを判定する（ステップＳ１１）。
【０１２２】
この判定の結果、ＤＶＤ１００の再生が停止していない（即ち、コンテンツ情報の再生が行われている）と判定した場合には（ステップＳ１１：Ｎｏ）、そのままＤＶＤ１００の再生を続け、引き続きＤＶＤ１００の再生が停止しているか否かを判定する。
【０１２３】
他方、ＤＶＤ１００の再生が停止している（即ち、コンテンツ情報の再生が行われていない）と判定した場合には（ステップＳ１１：Ｙｅｓ）、システムコントローラ１７は、カレンダ管理部２０から、現在の月日を示す月日情報を映像選択用パラメータとして取得する（ステップＳ１２）。
【０１２４】
その後、ユーザ映像格納部２２に記録されている映像が存在するか否かを判定する（ステップＳ２３）。係る判定は、情報再生装置１ａの起動時において、ＲＡＭ２１へユーザ映像格納部２２の映像を取り込む際（即ち、ステップＳ２１の時点）に行われていてもよい。
【０１２５】
この判定の結果、ユーザ映像格納部２２に記録されている映像が存在しなければ（ステップＳ２３：Ｎｏ）、第１実施例の場合と同様に、条件テーブル（図２参照）に基づき、ＯＳＤ画像用記憶部１９に記録されている所定の映像を表示する（ステップＳ１３）。そして、その後再度ＤＶＤ１００の再生が開始されるまで、係る映像を表示する。
【０１２６】
他方、ユーザ映像格納部２２に記録されている映像が存在すれば（ステップＳ２３：Ｙｅｓ）、ステップＳ１２にて取得した月日情報が、係る映像を表示するようにユーザによって登録された設定日であるか否かを判定する（ステップＳ２４）。係る判定は、情報再生装置１ａの起動時におけるＲＡＭ２１へ、ユーザ映像格納部２２に記録されている映像を取り込む際（即ち、ステップＳ２１の時点）に行われていてもよい。
【０１２７】
この判定の結果、係る映像を表示するようにユーザによって登録された設定日でなければ（ステップＳ２４：Ｎｏ）、第１実施例と同様に、条件テーブル（図２参照）に基づき、ＯＳＤ画像用記憶部１９に記録されている所定の映像を表示する（ステップＳ１３）。そして、その後再度ＤＶＤ１００の再生が開始されるまで、係る映像を表示する。
【０１２８】
他方、係る映像を表示するようにユーザによって登録された設定日であれば（ステップＳ２４：Ｙｅｓ）、システムコントローラ１７はＲＡＭ２１に記録されている映像を読み出し、ビデオプロセッサ１８に出力することでその映像を表示する（ステップＳ２５）。尚、この映像は、ＲＡＭ２１から読み出すことに限定されず、ユーザ映像格納部２２から直接読み込んだ後に再生してもよい。そして、再度ＤＶＤ１００の再生が開始されるまで、係る映像を表示する。
【０１２９】
そして、ＤＶＤ１００の再生が再度開始される場合には、システムコントローラ１７は、選択した映像の再生を停止し、ＤＶＤ１００を再生する。
【０１３０】
尚、操作部１８の指示により、ＯＳＤ画像用記憶部に記録されている所定の映像を表示するような構成であってもよい。即ち、ＤＶＤ１００の再生停止時に自動的に所定の映像が表示されることに限らず、例えばユーザが所望の時にＯＳＤ画像用記憶部１９或いはユーザ映像用格納部２２に記録されている所定の或いは所望の映像を表示する構成であってもよい。
【０１３１】
以上の結果、第２実施例によれば、第１実施例の動作に加えて、ユーザ所望の映像を、例えば従来のＤＶＤプレーヤであればブルーバック画面が表示される場合に表示することが可能となる。従って、よりユーザの興味をそぐことのない情報再生装置を実現可能となる。
【０１３２】
尚、上述の第１及び第２実施例において、ＯＳＤ画像用記憶部１９に記録されている映像は、上述の如く例えば年月日等に応じた映像に限られることはない。例えば、英単語とその意味を示す映像や、簡単な経済豆知識等を示す映像のように、特定の教養或いは教育に関する映像であってもよい。これにより、ユーザはＤＶＤ１００の再生が停止している隙間の時間を有効に利用して、ユーザ自身の教養を深めることも可能となる。
【０１３３】
更に、第２実施例においても、第１実施例と同様に時刻情報或いは位置情報を映像選択用パラメータとして用いてよく、又これらの映像選択用パラメータを、例えばカーナビゲーションシステム等の外部の機器より取得する構成であってもよい。
【０１３４】
尚、上述の第１実施例及び第２実施例では、情報再生装置の一例としてＤＶＤプレーヤについて説明したが、本発明は、ＤＶＤプレーヤに限られるものではなく、他の光ディスクや、他の高密度記録或いは高転送レート対応の各種情報再生装置にも適用可能である。
【０１３５】
本発明は、上述した実施例に限られるものではなく、請求の範囲及び明細書全体から読み取れる発明の要旨或いは思想に反しない範囲で適宜変更可能であり、そのような変更を伴う、情報再生装置及び方法、並びに該情報再生装置に用いられるコンピュータプログラムもまた本発明の技術的範囲に含まれるものである。
【図面の簡単な説明】
【図１】本発明の第１実施例に係る情報再生装置の基本構成を示すブロック図である。
【図２】本発明の第１実施例に係る情報再生装置が有する条件テーブルの一例を図式的に示す図である。
【図３】本発明の第１実施例に係る情報再生装置の動作例を示すフローチャートである。
【図４】本発明の第２実施例に係る情報再生装置の基本構成を示すブロック図である。
【図５】本発明の第２実施例に係る情報再生装置の動作例を示すフローチャートである。
【符号の説明】
１、１ａ・・・情報再生装置
３・・・スピンドルモータ
４・・・ＰＵ（光ピックアップ）
５・・・送りモータ
６・・・ＲＦアンプ
７・・・サーボ制御部
８・・・デジタル信号処理部
９・・・バッファメモリ（ＲＡＭ）
１０・・・ストリーム分離部
１１・・・ビデオデコーダ
１２・・・オーディオデコーダ
１３・・・サブピクチャデコーダ
１４・・・ビデオプロセッサ
１５・・・Ｄ／Ａ変換器
１６・・・ビデオエンコーダ
１７・・・システムコントローラ
１８・・・操作部
１９・・・ＯＳＤ画像用記憶部
２０・・・カレンダ管理部
２１・・・ＲＡＭ
２２・・・ユーザ映像格納部
１００・・・ＤＶＤ
【図１】
2004335063.tif 000003
【図２】
2004335063.tif 000004
【図３】
2004335063.tif 000005
【図４】
2004335063.tif 000006
【図５】
2004335063.tif 000007